(57)【要約】【目的】この発明は、予め用意される画像調整機能を利用でき、任意の原稿に対応した画像調整機能も利用できる。【解決手段】スキャナから入力する画像信号に対して、操作パネルのボタンに関連付けた調整値セットに基づく画像処理を行い画像として出力するデジタル複写装置において、前記ボタンは、前記調整値セットを調整した後に表示する。【選択図】    図３
2005033339.tif 000002
【特許請求の範囲】
【請求項１】
入力する画像信号に対して、操作部のオブジェクトに関連付けた調整値セットに基づく画像処理を行い画像として出力する画像形成装置において、
前記オブジェクトは、前記調整値セットを調整した後に表示することを特徴とする画像形成装置。
【請求項２】
原稿画像を読み取って第１の画像信号を生成する画像読取部と、
前記第１の画像信号に施す画像処理に使用する調整値セットを調整する操作部と、
前記調整値セットに関連付けられたオブジェクトを表示する表示部と、
前記調整値セットに基づいて前記第１の画像信号に前記画像処理を施して第２の画像信号を生成して出力する画像処理部と、
前記第２の画像信号に基づいて画像を形成する画像形成部を備える画像形成装置であって、
前記表示部は、前記調整値セットを調整した後に前記オブジェクトを表示することを特徴とする画像形成装置。
【請求項３】
原稿画像を読み取って第１の画像信号を生成する画像読取部と、
前記第１の画像信号に施す画像処理に使用する調整値セットを調整する操作部と、
前記調整値セットに関連付けられたオブジェクトを表示する表示部と、
第２の画像信号に基づいて画像を形成する画像形成部を備える画像形成装置に接続する画像処理装置であって、
前記画像処理装置は、前記第１の画像信号に対して、前記調整値セットに基づいて前記画像処理を施して前記第２の画像信号を生成して前記第２の画像信号を前記画像形成部へと出力し、
前記表示部は、前記調整値セットを調整した後に前記オブジェクトを表示することを特徴とする画像処理装置。
【請求項４】
前記調整値セットは、濃度調整、フィルタリング調整、ハーフトーン処理調整、圧縮率調整、下地濃度調整、色変換調整、識別像域調整、スムージング機能の利用／停止のうち少なくとも１つを含む、請求項１乃至２の画像形成装置。
【請求項５】
前記調整値セットは、濃度調整、フィルタリング調整、ハーフトーン処理調整、圧縮率調整、下地濃度調整、色変換調整、識別像域調整、スムージング機能の利用／停止のうち少なくとも１つを含む、請求項３記載の画像処理装置。
【請求項６】
前記調整値セットは、サービスマン調整モードにおいて調整されることを特徴とする請求項１乃至２記載の画像処理装置。
【請求項７】
前記調整値セットは、サービスマン調整モードにおいて調整されることを特徴とする請求項３記載の画像処理装置。
【請求項８】
入力する画像信号に対して、表示するオブジェクトに関連付けた調整値セットに基づく画像処理を行い画像として出力する画像形成方法において、
前記オブジェクトは、前記調整値セットを調整した後に表示することを特徴とする画像形成方法。
【発明の詳細な説明】
【０００１】
【発明の属する技術分野】
この発明は、例えば複写対象から画像データを得る画像読取装置を備える画像形成装置に関する。
【０００２】
【従来の技術】
近年、画像形成装置では、原稿画像とコピー画像の濃度などの関係を調整できる画像調整機能が利用されている。例えば、複写対象である原稿の種類に応じたカラーバランス、シャープネス、γ特性等の所定の調整値セットを調整モードとして選択可能なフルカラー作像装置において、選択された調整モードの画質メニューの調整に関係のない調整項目キーを表示させないようにする技術が知られている（特許文献１）。
【０００３】
しかし、個別の項目をユーザが任意に調整して的確な出力を得るのは困難なのが実情である。この問題を解消するため、原稿モード選択機能というものがある。
【０００４】
原稿モード選択機能とは、例えば文字のみを含む文字原稿や、写真のみを含む写真原稿や、文字と写真が混在する原稿等の複写対象の種類に応じて、調整値セットを予め複数用意してあり、これらの調整値セットから任意のセットをユーザが、あるいは画像形成装置が自動で、選択する機能である。
【０００５】
原稿モードを選択し、その原稿モードでの設定値をベースにしてユーザが微調整を行うことも可能である。
【０００６】
【特許文献１】
特開平５−１３０３９８号公報（要約、請求項１、図４，５、段落［００２１］〜［００３２］等）
【０００７】
【発明が解決しようとする課題】
各原稿モードの設定値セットとは微妙に異なる設定値を利用する頻度の多いユーザに対しては、各原稿モードをそのユーザ専用の設定値にカスタマイズすることも考えられるが、この場合、今まで利用していた画像調整機能を使用できなくなく問題があった。
【０００８】
この発明の目的は、初期の画像調整機能を利用でき、要求される原稿に対応した画像調整機能も利用できる画像読取装置を提供することである。
【０００９】
【課題を解決するための手段】
この発明は、入力する画像信号に対して、操作部のオブジェクトに関連付けた調整値セットに基づく画像処理を行い画像として出力する画像形成装置において、前記オブジェクトは、前記調整値セットを調整した後に表示することを特徴とする画像形成装置を提供するものである。
【００１０】
また、この発明は、原稿画像を読み取って第１の画像信号を生成する画像読取部と、前記第１の画像信号に施す画像処理に使用する調整値セットを調整する操作部と、前記調整値セットに関連付けられたオブジェクトを表示する表示部と、前記調整値セットに基づいて前記第１の画像信号に前記画像処理を施して第２の画像信号を生成して出力する画像処理部と、前記第２の画像信号に基づいて画像を形成する画像形成部を備える画像形成装置であって、前記表示部は、前記調整値セットを調整した後に前記オブジェクトを表示することを特徴とする画像形成装置を提供するものである。
【００１１】
さらに、この発明は、原稿画像を読み取って第１の画像信号を生成する画像読取部と、前記第１の画像信号に施す画像処理に使用する調整値セットを調整する操作部と、前記調整値セットに関連付けられたオブジェクトを表示する表示部と、第２の画像信号に基づいて画像を形成する画像形成部を備える画像形成装置に接続する画像処理装置であって、前記画像処理装置は、前記第１の画像信号に対して、前記調整値セットに基づいて前記画像処理を施して前記第２の画像信号を生成して前記第２の画像信号を前記画像形成部へと出力し、前記表示部は、前記調整値セットを調整した後に前記オブジェクトを表示することを特徴とする画像処理装置を提供するものである。
【００１２】
また、この発明は、入力する画像信号に対して、表示するオブジェクトに関連付けた調整値セットに基づく画像処理を行い画像として出力する画像形成方法において、前記オブジェクトは、前記調整値セットを調整した後に表示することを特徴とする画像形成方法を提供するものである。
【００１３】
【発明の実施の形態】
（第１の実施の形態）
以下、図面を用いて、画像形成装置の実施の形態としてのデジタル複写機について説明する。
【００１４】
図１に示されるように、デジタル複写装置１は、原稿画像を読み取って第１の画像信号を生成する画像読取部としてのスキャナ（画像読取装置）１００、および第２の画像信号に基づいて画像を形成する画像形成部としての画像形成部１２０を備える。スキャナ１００には、自動原稿送り装置（ＡＤＦ）１４０が設けられている。
【００１５】
スキャナ１００は、原稿テーブル１０１を有している。原稿テーブル１０１は、本等の立体物あるいはシート状の原稿である複写対象を保持する。
【００１６】
原稿テーブル１０１の下方でスキャナ１００内の所定の位置には、原稿Ｐの画像情報を電気信号に変換する光電変換素子（ＣＣＤセンサ）１０２が設けられている。ＣＣＤセンサ１０２には、原稿テーブル１０１にセットされた原稿Ｐの画像情報が、後述する複数のミラーを介して伝達される。
【００１７】
原稿テーブル１０１の下方で原稿テーブル１０１に沿った空間には、原稿テーブル１０１に向けて光を放射する照明ランプ１０３と、照明ランプ１０３が放射する光を原稿テーブル１０１の所定の位置に集光するリフレクタ１０４が設けられている。照明ランプ１０３とリフレクタ１０４は、図示しないレールの上を移動されることで原稿テーブル１０１の面に沿って往復動可能な第１キャリッジ１０５に固定されている。
【００１８】
第１キャリッジ１０５には、照明ランプ１０３およびリフレクタ１０４からの照明光により照明された原稿Ｐからの反射光、すなわち原稿Ｐの画像情報を所定の方向に案内する画像取出ミラー１０６が設けられている。なお、以下説明のため、原稿Ｐからの反射光は、画像光と呼称する。
【００１９】
第１キャリッジ１０５の近傍であって、画像取出ミラー１０６により捕獲された原稿Ｐ１からの画像光が反射される方向には、第１キャリッジ１０５に追従して移動される第２キャリッジ１０７が設けられている。
【００２０】
第２キャリッジ１０７には、画像取出ミラー１０６からの画像光を、９０°ずつ折り曲げる第１画像ミラー１０８および第２画像ミラー１０９が設けられている。
【００２１】
第２画像ミラー１０９で反射された画像光は、レンズ１１０に案内され、レンズ１１０により所定の結像倍率が与えられるとともに、レンズ１１０の焦点位置に配置されているＣＣＤセンサ１０２に結像される。
【００２２】
ＣＣＤセンサ１０２は、画像処理部１１１と接続され、入力した画像光を電気信号である画像信号に光電変換する。画像処理部１１１は、入力した画像信号に、後で詳細に説明する所定の画像処理をし、第１の画像信号としての画像情報を出力する。
【００２３】
画像形成部１２０は、露光装置１２１、感光体ドラム１２２、現像装置１２３、定着装置１２４等を有している。
【００２４】
露光装置１２１は、後述する画像処理部が出力する画像信号基づいて、光強度が変化されたレーザビームを出力する。上述したデジタル複写装置１においては、予め所定の電位に帯電されている感光体ドラム１２２の外周面に、露光装置１２１から出力されるレーザビームが照射される。
【００２５】
これにより、感光体ドラム１２２の所定の位置に、複写すべき画像に対応した静電像すなわち静電潜像が形成される。
【００２６】
感光体ドラム１２２に形成された図示しない静電潜像は、現像装置１２３によってトナー像に変換される。感光体ドラム１２２の表面に形成された図示しないトナー像は、符号を付さない転写装置と対向する転写位置で、シートカセット１２５に収容されている用紙Ｑに転写される。
【００２７】
用紙Ｑは、ピックアップローラ１２６により、シートカセット１２５から１枚ずつ取り出され、感光体ドラム１２２へ向けて、搬送路１２７を、搬送される。
【００２８】
搬送路１２７を搬送されている用紙Ｑは、アライニングローラ１２８により、感光体ドラム１２２により保持されているトナー像の用紙Ｑ上の位置が原稿Ｐの画像の位置と一致するよう、一旦停止された後、タイミングが整合されて、詳述しない転写装置と感光体ドラム１２２とが対向する転写位置に案内される。
【００２９】
用紙Ｑに転写された図示しないトナーは、用紙Ｑが移動されることで定着装置１２４に搬送され、用紙に固着すなわち定着される。
【００３０】
定着装置１２４により図示しないトナー、すなわち読取対象物の画像の複写像または外部装置から供給された画像情報に対応する出力画像が定着された用紙Ｑは、排紙ローラ１２９により、スキャナ１００とシートカセット１２５との間に定義される空間、すなわち画像出力媒体保持部（トレイ）１３０に排出される。
【００３１】
図２は、図１に示したデジタル複写装置１の電気的接続および制御のための信号の流れを説明するブロック図を示す。
【００３２】
図２に示されるように、メインＣＰＵ（セントラル・プロセッシング・ユニット）２０１を含む制御部２００は、スキャナ部１００を制御するスキャナＣＰＵ２２１を含むスキャナ制御部２２０と、画像形成部（プリンタ部）１２０を制御するプリンタＣＰＵ２４１を含むプリンタ制御部２４０と、画像処理部１１１と、コントロールパネル２６０と、セレクタ（バスコントローラ）２７０とバスラインで接続されている。
【００３３】
このセレクタ２７０は、ＨＤＤ２７１と、ファクシミリ送受信部２７２と、ページメモリ２７３と、ネットワークＩ／Ｆ２７１とバスラインで接続されている。また、画像処理部１１１は、ファクシミリ送受信部２７２と、ページメモリ２７３とバスラインで接続されている。
【００３４】
メイン制御部２００は、メインＣＰＵ２０１、ＲＯＭ２０２、ＲＡＭ２０３、ＮＶＲＡＭ２０４を含む。ＲＯＭ２０２には、デジタル複写装置１の各部を総括的に制御するプログラム、電子メールを解析あるいは作成するための専用プログラムなどが格納される。ＲＡＭ２０３には、メインＣＰＵ２０１が所定の処理動作をするために必要となるワークエリアなどが形成される。メインＣＰＵ２０１はＲＯＭ２０２に格納されたプログラムを実行することにより、デジタル複写装置１の各部を総括的に制御する。
【００３５】
ＮＶＲＡＭ（持久ランダム・アクセス・メモリ：ｎｏｎ  ｖｏｌａｔｉｌｅ  ＲＡＭ）２０４は、バッテリ（図示しない）にバックアップされた不揮発性のメモリであり、電源を遮断しても記憶データを保持できる。また、ＮＶＲＡＭは、後で詳細に説明するように、画像調整機能である原稿モードで利用される初期設定モードの設定値セットを格納する設定値保存メモリ２０５と、原稿モードで利用されるユーザモードの調整値セットを保存する調整値セット保存メモリ２０６を含む。
【００３６】
コントロールパネル２６０は、コントロールパネルＣＰＵ２６１、フラッシュＲＯＭ２６２、ＲＡＭ２６３、表示部２６４、操作部２６５を含む。コントロールパネル２６０から上記の調整値セットの選択や調整が行われる。フラッシュＲＯＭ２６２には、表示部２６４及び操作部２６５を制御するためのプログラムがファームウェア（Ｆ／Ｗ）として格納されている。コントロールパネルＣＰＵ２６１は、操作部２６５やメインＣＰＵ２０１からの入力により、フラッシュＲＯＭ２６２に記憶されたプログラムを実行し、表示部１２４に表示される情報を制御する。
【００３７】
スキャナ制御部２２０は、スキャナＣＰＵ２２１、フラッシュＲＯＭ２２２、ＲＡＭ２２３を含む。フラッシュＲＯＭ２２２には、スキャナ制御部２２０の画像読取動作などを制御するプログラムがＦ／Ｗとして格納されている。スキャナＣＰＵ２２１は、フラッシュＲＯＭ２２２に格納されるプログラムを実行し、スキャナ１００を動作させる。例えば、上に説明したように、原稿Ｐの画像を読み取り、画像処理部１１１に送る。なお、以下説明のため、スキャナ１００の読取動作とは、原稿Ｐに照明ランプ１０３からの光が照明され、この原稿Ｐからの反射光がＣＣＤセンサ１０２に入力し、光電変換された画像データとして画像信号処理部１１１に出力されるまでの動作として定義される。
【００３８】
画像処理部１１１は、スキャナ制御部２２０から送られた画像データ、すなわちＣＣＤセンサ１０２から出力された画像データ、に所定の画像処理を施す。たとえば、増幅され、所定のスレショルドレベルにスレショルドされ、文字情報や画像情報として認識された画像データとして出力される。この画像データは、ファクシミリ送受信部２７２、あるいは、ページメモリ２７３に出力される。画像処理部１１１は上記調整値セットに基づいて、例えば上記画像データに、濃度調整やフィルタリング調整、ハーフトーン処理調整、圧縮率調整、下地濃度調整、色変換調整、識別像域調整、スムージング機能の利用／停止などを行う。
【００３９】
プリンタ制御部２４０は、プリンタＣＰＵ２４１、フラッシュＲＯＭ２４２、ＲＡＭ２４３を含む。フラッシュＲＯＭ２４２には、プリンタ制御部２４０の画像形成動作を制御するプログラムがＦ／Ｗとして格納されている。プリンタＣＰＵ２４１は、フラッシュＲＯＭ２４２に格納されるプログラムを実行し、画像形成部１２０を動作させる。例えば、上に説明したように、スキャナ１００により読み取られた原稿Ｐの画像データに基づき、原稿Ｑに画像を形成する。なお、以下説明のため、画像形成部１２０の画像形成動作とは、画像処理部１１１から出力された画像データに応じるレーザビームが帯電されている感光体ドラム１２２に照射され、複写すべき画像に対応した静電潜像が形成され、現像装置１２３により変換されたトナー像が転写され、定着装置１２４により用紙Ｑに定着されるまでの動作として定義される。
【００４０】
セレクタ２７０は、メイン制御部２００に制御され各種データの送信先をコントロールする。ページメモリ２７３は、画像形成部１２０で画像形成される画像データを複数ページ分の画像データとして記憶できる領域を有し、この画像データを例えば原稿Ｐの画像を画像が形成される原稿Ｑに応じて所定の回転方向、圧縮率、伸長率、解像度に変換できる。ファクシミリ送受信部２７２は、ネットワークＩ／Ｆ２７４を介して電話回線あるいはインターネット等と接続できる。
【００４１】
ＨＤＤ２７１には、例えば、スキャナ１００で読取られ画像処理部１１１から出力された画像データや、ネットワークＩ／Ｆを介して受信される電子メールなどが記憶されている。また、スキャナ１００、画像形成部１２０等の各装置を動作させるための各種アプリケーションソフトなどが記憶されている。
【００４２】
次に、上に説明したデジタル複写装置１に適用可能な原稿モードのうちユーザモードの設定方法および調整方法について説明する。
【００４３】
なお、原稿モードとは、原稿の種類に応じて、スキャナ１００で読み取られた画像データを処理することにより、読取対象としての原稿Ｐの画質を良好に用紙Ｑに再現するための画質調整機能として定義される。
【００４４】
原稿モードには、例えば、複写対象が文字と写真が混在する原稿であった場合良好な画質の画像を形成可能な標準モードと、複写対象が文字のみの原稿であった場合良好な画質の画像を形成可能な文字モードと、複写対象が写真のみの原稿であった場合良好な画質の画像を形成可能な写真モードとが含まれる。
【００４５】
標準モード、文字モードおよび写真モードは、デジタル複写装置１に予め用意されている原稿モードであって、ユーザは、複写対象に応じて原稿モードの種類を選択できる。
【００４６】
複写対象は、標準モードが選択されると、基準値セットＸＡに基づき画像処理される。文字モードが選択されると、基準値セットＸＢに基づき画像処理される。写真モードが選択されると、基準値セットＸＣに基づき画像処理される。すなわち、原稿モードのうち所定のモードが選択されると、それぞれの基準値セットに基づき画像処理される。
【００４７】
なお、原稿モードの種類としては、この３つに限られず、例えば、複写対象が雑誌やカタログなどグラビア印刷による写真原稿であった場合良好な画質の画像を形成可能な印刷写真モード、複写対象が細かい図形や文字を含む原稿であった場合良好な画質の画像を形成可能な地図モード、あるいは、図示しない所定の認識機構を用いて、複写対象の原稿のパターンを認識し、それぞれの原稿パターンに応じた基準値セットに基づく画像処理をする自動モード等が利用可能である。
【００４８】
ユーザモードは、所定の基準値セットを設定可能なモードであって、たとえば、ユーザがよく使用する複写対象に応じたユーザモードが設定されることにより、上に説明した種類の原稿以外であっても、読取対象としての原稿Ｐの画質の画像を良好に用紙Ｑに再現できる。
【００４９】
図３は、このユーザモードの設定方法および調整方法の一例を説明するフローチャートを示す。
【００５０】
まずユーザモードを設定するため、ユーザモードの所定の基準値を調整可能な調整モードを選択する。この調整モードは、表示部２６４に表示されるあるいは操作部２４５に設けられた所定のスイッチあるいはボタンをデジタル複写装置１の電源がＯＮされた直後に押すことで選択される。すなわち、調整モードのログインコードが入力される（Ｓ１）。
【００５１】
なお、調整モードの選択方法は、これに限られず、例えば、表示部２６４あるいは操作部２４５のスイッチあるいはボタンを押しながら、デジタル複写装置１の電源をＯＮする方法であってもよい。
【００５２】
調整モードが選択されると、デジタル複写装置１は、ユーザモードが調整可能な状態になるため、例えばサービスマン等により操作可能なサービスマン調整モード状態となる（Ｓ２）。
【００５３】
操作部２４５の数字入力キー（以下テンキー）２６６により、所定の数字、例えばコード番号「１０００」が入力される。コード番号「１０００」が入力されると、メインＣＰＵ２０１により、コード番号「１０００」として定義されているユーザモードが選択される（Ｓ３−ＹＥＳ）。
【００５４】
なお、コード番号「１０００」が入力されても、ユーザモードを設定できる準備が不十分であった場合は、ユーザモードが設定されるメニュー機能が有効ではないとして終了される（Ｓ３−ＮＯ）。
【００５５】
ユーザモードが選択されると、テンキー２６６あるいは表示部の所定の選択キーにより、原稿モードのうち標準・文字・写真モードのいずれか１つが、基本設定モードとして選択される（Ｓ４）。
【００５６】
選択された基本設定モード、たとえば文字モードの基準値セットＸＢは、メインＣＰＵ２０１により、ＮＶＲＡＭ２０４の第１記憶領域（基本メモリ領域）２０５から呼び出され、ユーザモードの基準値セットとしてＲＡＭ２０３に格納される（Ｓ５）。
【００５７】
ステップＳ４で基本設定モードとして設定された原稿モードの種類、ここでは文字モードがユーザモードの呼び出し値Ｙとしてユーザメモリ領域２０６保存される（Ｓ６）。この時点では、ＲＡＭ２０３に格納されるユーザモードの調整値セットは、文字モードの基準値セットＸＢと同じ値である。
【００５８】
文字モードの基準値セットＸＢと異なる値に調整されるべき調整項目は、調整項目コードの入力により呼び出される。すなわち、テンキー２６６からの所定の数字、例えばコード番号「１１００」の入力により、メインＣＰＵ２０１でコード番号「１１００」として定義されている調整項目が呼び出され、選択される（Ｓ７）。
【００５９】
調整項目コードの入力により、表示部２６４には、選択された調整項目の調整値がＲＡＭ２０３から呼び出されて表示される。この調整値は、この時点では文字モードの基準値セットＸＢに含まれる設定値と同じデータであり、所望の調整値が入力されると、ＲＯＭ２０３に記憶されている調整値が変更される（Ｓ８）。
【００６０】
この時点でＲＡＭ２０３に記憶されている、この所望の調整値に調整された調整項目を含む調整値セットをここではユーザ調整値セットＸＤと呼ぶ。
【００６１】
ユーザ調整値セットＸＤのうち変更された調整項目の値、すなわちユーザ調整値Ｘｄのみ、ＮＶＲＡＭ２０４の第２記憶領域（ユーザメモリ領域）２０６に保存される（Ｓ９）。
【００６２】
また、呼び出し値Ｙは基準値セットの値そのものではなく、基本メモリ領域２０５に記憶されている基準値セットと関連付けを行うものである。後に、ＣＰＵ２０１がユーザメモリ領域２０６に記憶されたこの呼び出し値Ｙに基づいて、基本メモリ領域に記憶されている文字モードの基準値セットを読みだす。
【００６３】
調整されるべき調整項目の調整値の調整・変更を終了するか否かを表示部２６４あるいは操作部２６５にて選択する（Ｓ１０）。
【００６４】
終了しないよう選択すると、再びステップＳ６を行う。終了が指示されると、例えば通常の複写動作が可能な状態となる。また、調整値の入力終了の判定を画面にて選択する方式ではなく、必要な調整値コード番号と調整値を入力し終わった後に、本体の電源を立ち上げなおす方式でもよい。
【００６５】
なお、上に説明したとおりユーザモードが既に設定されている場合、同様にして、調整モードからユーザモードが設定可能な状態で、ステップＳ４において、基本設定モードとして標準モードが選択されると、基本メモリ領域２０５から標準モードの基準値セットＸＡが呼び出され、ユーザモードの基準値セットとしてＲＡＭ２０３に格納される（Ｓ１１）。
【００６６】
調整されるべき調整項目がユーザ調整値Ｘｅとして調整・変更されると、前にユーザメモリ領域２０６に保存されているユーザ調整値Ｘｄは消去され、ステップＳ４で基本設定モードとして設定された標準モードがユーザモードの呼び出し値として保存される（Ｓ１２）。
【００６７】
ユーザメモリ領域２０６にはユーザ調整値Ｘｅが保存され、調整されるべき調整項目の調整値の調整・変更が終了する。
【００６８】
また、ステップＳ４において、基本設定モードとして写真モードが選択された場合も同様にして、基本メモリ領域２０５から写真モードの基準値セットＸＣが呼び出され、ユーザモードの基準値セットとしてＲＡＭ２０３に格納される（Ｓ１３）。
【００６９】
調整されるべき調整項目がユーザ調整値Ｘｆとして調整・変更されると、ユーザメモリ領域２０６に保存されているユーザ調整値は消去され、ステップＳ４で基本設定モードとして設定された写真モードがユーザモードの呼び出し値として保存される（Ｓ１４）。
【００７０】
ユーザメモリ領域２０６にはユーザ調整値Ｘｆが保存され、調整されるべき調整項目の調整値の調整・変更が終了する。
【００７１】
具体的には、例えば、複写対象の原稿Ｐが、下地濃度の濃い原稿（例えば新聞や、色紙に字を書いたものなど）であった場合は、通常の文字モード等で形成された用紙Ｑの画像は、全体的に黒く原稿Ｐに形成されている情報が見にくい。このため、スキャナ１００で読み取られた原稿Ｐ自身の色の画像データが、用紙Ｑに画像形成されないことが望ましい。
【００７２】
この場合、要求される調整項目は、例えば、スキャナ１００で読み取られた原稿Ｐの画像データが、感光体１２２に形成されるトナー像に変換される際の濃度の調整項目（以下濃度調整項目と記す）や、原稿Ｐの下地濃度と予め認識し、この下地濃度に応じて画像形成処理をする調整項目の２つである。調整可能な項目が多数ある中でも、調整されるべき２つの調整項目を保持可能な領域があれば十分であるため、ユーザ調整値を保存する記憶領域（記憶容量）が削減される。
【００７３】
また、ユーザ調整値の情報を、調整に基づく基本メモリ領域２０５から呼び出された所定のモードの基準値との差分としてユーザメモリ領域２０６に保存してもよい。よって、さらにユーザメモリ領域２０６としての記憶容量が少なくて済む。
【００７４】
ユーザメモリ領域２０６へ記憶する値を、上記のように変更のあった調整値Ｘｄのみとするのではなく、単純に調整値セットＸＤ全体としてもよいことは言うまでもない。
【００７５】
なお、複写対象の原稿Ｐが、例えば鉛筆等で記載されており、濃度の薄い文字が形成された原稿であった場合、薄い文字の濃度を濃くし、はっきりとした文字を用紙Ｑに出力することが要求される。この場合、原稿Ｐ自身の色と、そこに形成される文字の色との差の強度を調整するためのフィルタ等の強度を調整する調整項目に加え、上述した濃度調整項目が要求される。
【００７６】
また、複写対象の原稿Ｐが、例えば白紙等の下地の薄い原稿に新聞等の下地の濃い原稿が貼り付けられたようなスクラップ原稿であった場合、新聞の下地の色の画像データが用紙Ｑに出力されないことが要求され、上述した濃度調整項目等が調整される。
【００７７】
このようにして、所定の調整値が入力されてユーザモードが設定されると、表示部２６４にユーザモードを選択するためのオブジェクトとしてのボタンが、原稿モードの選択画面に表示される。
【００７８】
すなわち、ユーザモードが設定される以前は、ユーザの余計な混乱を回避するため、予め用意される標準・文字・写真モードと区別され、ユーザモードのボタンは表示されない。
【００７９】
次に、上述した設定方法および調整方法により設定されたユーザモードを、ユーザが原稿複写時に選択する動作の一例を説明する。
【００８０】
図４は、上述の方法により設定されたユーザモードを選択する動作の一例を説明するフローチャートである。
【００８１】
デジタル複写装置１は表示部２６０に図５に示す画面を表示する。表示部２６０上部には、「基本」ボタン５０１、「画質調整」ボタン５０２、「応用」ボタン５０３、「特殊」ボタン５０４、「確認」ボタン５０５ら、５つのボタンからなるインデックスボタン５００が表示される。
【００８２】
インデックスボタン５００の右下部には、「文字／写真」の文字が記された原稿モード設定ボタン５１０を含む４つの機能設定ボタンが表示される。
【００８３】
原稿モード設定ボタン５１０が押されると、図６に示すような、原稿モードの種類（「文字／写真」６０１、「文字」６０２、「写真」６０３、「ユーザモード」６０４）が選択可能な原稿モード設定ボタンが画面に表示される（Ｓ２１）。この場合、原稿モードとして選択されている「文字／写真」６０１の色が反転している。またここではユーザモードが既に設定されているため、表示部２６０は「ユーザモード」６０４を表示できる。
【００８４】
ユーザが「ユーザモード」６０４を押す（Ｓ２２）。この際、図７に示されるように、原稿モードの種類が選択可能な原稿モード設定ボタンが画面に表示され、「ユーザモード」６０４の色が反転する。ちなみに、「戻る」７０１を押すと、図８に示されるように、インデックスボタン５００のうち、「基本」５０１に含まれる機能設定ボタンを選択可能な画面が表示され、原稿モード設定ボタンとしては、設定された「ユーザモード」が表示される。
【００８５】
Ｓ２２において「ユーザモード」６０４が押されると、ＣＰＵ２０１によりＮＶＲＡＭ２０４のユーザメモリ領域２０６に保存されたユーザモードの呼び出し値Ｙが読み出される（Ｓ２３）。
【００８６】
読み出された呼び出し値Ｙに基づいてユーザモードの基準値セットとして文字モードが選択される（Ｓ２４）。
【００８７】
文字モードの基準値セットＸＢが、メインＣＰＵ２０１により、ＮＶＲＡＭ２０４の第１記憶領域（基本メモリ領域）２０５から呼び出されＲＡＭ２０３に格納される（Ｓ２５）。
【００８８】
ＮＶＲＡＭ２０４の第２記憶領域（ユーザメモリ領域）２０６からユーザ調整値Ｘｄが呼び出されると、先にＲＡＭ２０３に格納された文字モードの基準値セットＸＢの、同じ調整項目の値に上書きされる（Ｓ２６）。
【００８９】
なお、ステップＳ２３において、ユーザモード呼び出し値Ｙが設定され、ユーザモードの基準値セットとして標準モードが選択されると、基本メモリ領域２０５から写真モードの基準値セットＸＡが呼び出され、ＲＡＭ２０３に格納される（Ｓ２７）。
【００９０】
ユーザメモリ領域２０６からユーザ調整値が呼び出され、基準値セットＸＡの該当する調整項目の値に上書きされる（Ｓ２６）。
【００９１】
また、同様にして、ステップＳ２３において、ユーザモード呼び出し値が設定され、ユーザモードの基準値セットとして写真モードが選択されると、基本メモリ領域２０５から写真モードの基準値セットＸＣが呼び出され、ＲＡＭ２０３に格納される（Ｓ２８）。
【００９２】
ユーザメモリ領域２０６からユーザ調整値が呼び出され、基準値セットＸＣの該当する調整項目の値に上書きされる（Ｓ２６）。
【００９３】
（第２の実施の形態）
次に、図３，４に示したユーザモードの設定方法および調整方法と異なる方法について説明する。
【００９４】
図９に示されるように、例えば、デジタル複写装置１の電源がＯＮされた直後に、表示部２６４あるいは操作部２４５のスイッチあるいはボタンが押すことで、調整モードのログインコードが入力する（Ｓ４１）。
【００９５】
デジタル複写装置１は、例えばサービスマン等により操作可能なサービスマン調整モード状態となる（Ｓ４２）。
【００９６】
テンキー２６６により、所定の数字、例えばコード番号「１０００」が入力されると、メインＣＰＵ２０１により、コード番号「１０００」として定義されているユーザモードが選択され（Ｓ４３−ＹＥＳ）、コード番号「１０００」が入力されても、ユーザモードを設定できる準備が不十分であった場合は、ユーザモードが設定されるメニュー機能が有効ではないとして終了される（Ｓ４３−ＮＯ）。
【００９７】
ユーザモードが選択されると、原稿モードのうち標準・文字・写真モードのいずれか１つが、基本設定モードとして選択される（Ｓ４４）。
【００９８】
基準値セットとして文字モードが選択された場合、呼び出し値Ｚには文字モードが保存される（Ｓ４５）。
【００９９】
次に、調整項目コードであるコード番号「１１００」が入力される（Ｓ４６）。
【０１００】
メインＣＰＵ２０１はコード番号「１１００」として定義されている調整項目を呼び出し、表示部２６４に選択された調整項目の調整値を表示する。調整されるべき調整値が入力され、ユーザ調整値Ｘｈに変更される（Ｓ４７）。
【０１０１】
このユーザ調整値Ｘｈは、メインＣＰＵ２０１により、ＮＶＲＡＭ２０４の第２記憶領域（ユーザメモリ領域）２０６のうち第３の記憶領域ＭＨに保存される（Ｓ４８）。
【０１０２】
調整されるべき調整項目の調整値の調整・変更を終了するか否かを表示部２６４あるいは操作部２６５にて選択する（Ｓ４９）。終了しないよう選択すると、再びステップＳ４６を行う。終了が指示されると、例えば通常の複写動作が可能な状態となる。
【０１０３】
また、調整の終了の選択を表示させず、コード番号を入力し続けることで調整値入力を継続し、終了は本体電源の立ち上げなおしとしてもよい。また、調整値コードを予めユーザモードで調整可能な数だけ用意しておく方式や、調整したいコードのみ保存しておく方式にしてもよい。
【０１０４】
なお、ユーザモードが既に設定されている場合、同様にして、調整モードからユーザモードが設定可能な状態で、ステップＳ４４において、基本設定モードとして標準モードが選択されると、ステップＳ４４で基本設定モードとして設定された標準モードがユーザモードの呼び出し値Ｚとして保存される（Ｓ５０）。
【０１０５】
また、調整されるべき調整項目の調整項目コードが入力される（Ｓ５１）。
【０１０６】
調整されるべき調整項目がユーザ調整値Ｘｇとして調整・変更される（Ｓ５２）と、このユーザ調整値Ｘｇは、メインＣＰＵ２０１により、ＮＶＲＡＭ２０４の第２記憶領域（ユーザメモリ領域）２０６のうち第４の記憶領域ＭＧに保存される（Ｓ５３）。
【０１０７】
調整されるべき調整項目の調整値の調整・変更を終了するか否かを表示部２６４あるいは操作部２６５にて選択する（Ｓ５４）。終了しないよう選択すると、再びステップＳ５１を行う。
【０１０８】
また、ステップＳ４４において、基本設定モードとして写真モードが選択された場合も同様にして、写真モードがユーザモードの呼び出し値Ｚとして保存される（Ｓ５５）。
【０１０９】
また、調整されるべき調整項目の調整項目コードが入力される（Ｓ５６）。
【０１１０】
調整されるべき調整項目がユーザ調整値Ｘｉとして調整・変更されると（Ｓ５７）、このユーザ調整値Ｘｉは、メインＣＰＵ２０１により、ＮＶＲＡＭ２０４の第２記憶領域（ユーザメモリ領域）２０６のうち第５の記憶領域ＭＩに保存される（Ｓ５８）。
【０１１１】
調整されるべき調整項目の調整値の調整・変更を終了するか否かを表示部２６４あるいは操作部２６５にて選択する（Ｓ５９）。終了しないよう選択すると、再びステップＳ５６を行う。
【０１１２】
原稿モードのうち予め用意されているモード、ここでは標準・文字・写真モード、の種類に応じて、ユーザモードの調整値が保存される記憶領域をそれぞれ独立して形成することで、システムの構築が容易になる。
【０１１３】
また、図３，４で説明した例と同様に、ユーザ調整値が保存される記憶領域は、要求される調整項目を保持可能な領域であれば十分であるため、記憶領域（記憶容量）が削減される。
【０１１４】
次に、上述した設定方法および調整方法により設定されたユーザモードを、ユーザが原稿複写時に選択する動作の一例を説明する。
【０１１５】
デジタル複写装置１は表示部２６０に図５に示す画面を表示する。原稿モード設定ボタン５１０が押されると、図６に示すような、原稿モードの種類（「文字／写真」６０１、「文字」６０２、「写真」６０３、「ユーザモード」６０４）が選択可能な原稿モード設定ボタンが画面に表示される（Ｓ７１）。この場合、原稿モードとして選択されている「文字／写真」６０１の色が反転している。機能設定ボタンのうち「文字／写真」（原稿モード設定ボタン）５１０が選択され、図６に示されるような画面に表示される。
【０１１６】
ユーザが「ユーザモード」６０４を押す（Ｓ７２）。
【０１１７】
「ユーザモード」６０４が押されるとＣＰＵ２０１によりＮＶＲＡＭ２０４のユーザメモリ領域２０６にユーザモードの呼び出し値が読み出される。（Ｓ７３）。
【０１１８】
読み出された呼び出し値Ｙに基づいてユーザモードの基準値セットとして文字モードが選択される（Ｓ７４）。
【０１１９】
文字モードの基準値セットＸＢは、メインＣＰＵ２０１により、ＮＶＲＡＭ２０４の第１記憶領域（基本メモリ領域）２０５から呼び出され、ＲＡＭ２０３に格納される（Ｓ７５）。
【０１２０】
ＮＶＲＡＭ２０４の第２記憶領域（ユーザメモリ領域）２０６のうち第３の記憶領域ＭＨからユーザ調整値Ｘｈが呼び出されると、先にＲＡＭ２０３に格納された文字モードの基準値セットＸＢの、同じ調整項目の値に上書きされる（Ｓ７６）。
【０１２１】
なお、ステップＳ７３において、ユーザモード呼び出し値が設定され、ユーザモードの基準値セットとして標準モードが選択されると、基本メモリ領域２０５から標準モードの基準値セットＸＡが呼び出され、ユーザモードの基本部としてＲＡＭ２０３に格納される（Ｓ７７）。
【０１２２】
ユーザメモリ領域２０６のうち第４の記憶領域ＭＧからユーザ調整値ＸＧが呼び出される。ユーザ調整値Ｘｇは、先にＲＡＭ２０３に格納された標準モードの基準値セットＸＡの、同じ調整項目の値に上書きされる（Ｓ７８）。
【０１２３】
また、同様にして、ステップＳ７３において、ユーザモード呼び出し値が設定され、ユーザモードの基準値セットとして写真モードが選択されると、基本メモリ領域２０５から写真モードの基準値セットＸＣが呼び出され、ユーザモードの基本部としてＲＡＭ２０３に格納される（Ｓ７９）。
【０１２４】
ユーザメモリ領域２０６のうち第５の記憶領域ＭＩからユーザ調整値Ｘｉが呼び出される。ユーザ調整値Ｘｉは、先にＲＡＭ２０３に格納された写真モードの基準値セットＸＣの、同じ調整項目の値に上書きされる（Ｓ８０）。
【０１２５】
追加されるユーザ調整値は、ユーザモードの基本部となる標準・文字・写真モードに応じてそれぞれ設けられるメモリ領域（ＭＧ，ＭＨ，ＭＩ）に保存されているため、このメモリ領域に保存される以前利用した調整値を再度利用でき、新たなデータ入力をする労力を削減できる。
【０１２６】
なお、スキャナ制御部２２０は上記調整値セットに基づいて、例えばＣＣＤセンサ１０２の感度やサンプリング時間、第１キャリッジ１０５や第２キャリッジ１０７の移動速度などを変えるようにしてもよい。また、プリンタ制御部２４０は上記調整値セットに基づいて、例えば帯電バイアスや現像バイアス、転写バイアス、レーザビーム強度などを変えるようにしてもよい。ただし、これらの調整は非常に難しく、いかにサービスマンであっても正しく調整できない場合もあるため、安全のためサービスマンモードであっても調整できないようにしておくのもよい。
【０１２７】
なお、上記実施の形態では、ユーザモードの設定はサービスマンモードにおいて行われるよう説明したが、ユーザの責任においてユーザが設定するようにしてもよい。その場合は、コード番号を入力するのはユーザにとって分かり難いため、例えば、表示部２６４に各コード番号に関連付けられたボタンを表示し、各ボタンに「濃度調整」や「フィルタリング」などといった文字やそれらを想起させる絵柄などを表示させておくのもよい。それらのボタンを押すことにより、各コード番号が入力されたのと同じ動作が行われればよい。
【０１２８】
なお、上記実施の形態では、デジタル複写装置１に搭載された画像処理装置１１１が上記調整値セットに基づいて、諸々の調整を行うと記載したが、例えば外付けコントローラユニットなどといった、画像形成装置にオプションとして装着される装置の画像処理部において、画像データに調整値セットに基づいて諸々の調整を行わせてもよい。
【０１２９】
なお、上記実施の形態ではオブジェクトとしてボタンを利用しているが、オブジェクトとしては例えば文字列であってもよいし、何らかの絵柄であってもよい。
【０１３０】
【発明の効果】
以上説明したとおり、この発明の画像形成装置は、予め用意される原稿モードである標準・文字・写真モードの基準値の情報に、ユーザモードの調整値の情報を追加することにより、要求される複写対象の画質調整に対応できる。よって、標準・文字・写真モードは変更されないため、ユーザモードを利用でき、また、通常の標準・文字・写真モードも利用できる。
【図面の簡単な説明】
【図１】この発明の画像形成装置の一例を説明する概略図。
【図２】図１に示したデジタル複写装置１の電気的接続および制御のための信号の流れを説明するブロック図。
【図３】ユーザモードの設定方法および調整方法の一例を説明するフローチャート。
【図４】図３に示すユーザモードの設定方法および調整方法により設定されたユーザモードを選択する動作の一例を説明するフローチャート。
【図５】表示部２６０に表示される画面の概略図。
【図６】表示部２６０に表示される画面の概略図。
【図７】表示部２６０に表示される画面の概略図。
【図８】表示部２６０に表示される画面の概略図。
【図９】ユーザモードの設定方法および調整方法の一例を説明するフローチャート。
【図１０】図９に示すユーザモードの設定方法および調整方法により設定されたユーザモードを選択する動作の一例を説明するフローチャート。
【符号の説明】
１…デジタル複写装置、１００…スキャナ、１２０…画像形成部、２００…メイン制御部、２２０…スキャナ制御部、２４０…プリンタ制御部、２６０…コントロールパネル。
【図１】
2005033339.tif 000003
【図２】
2005033339.tif 000004
【図３】
2005033339.tif 000005
【図４】
2005033339.tif 000006
【図５】
2005033339.tif 000007
【図６】
2005033339.tif 000008
【図７】
2005033339.tif 000009
【図８】
2005033339.tif 000010
【図９】
2005033339.tif 000011
【図１０】
2005033339.tif 000012